(57)【要約】【課題】訓練者が訓練用画像のみに集中できる視力回復訓練装置を提供すること。【解決手段】目の結像調整機能の訓練を行うための視力回復訓練装置であって、訓練者の目が位置する接眼部と、視力訓練用画像を表示する表示部と、前記接眼部と前記表示部との間の光軸上に配置され、前記表示部から出た前記視力訓練用画像の画像光を反射する複数の反射部と、前記複数の反射部のうち、少なくとも一つの反射部を前記光軸上で移動させる移動部と、を備え、前記複数の反射部の各反射面のサイズは、各反射部の位置が前記接眼部から離れるに従って大きい視力回復訓練装置。【選択図】図１
2010088773.tif 000002
【特許請求の範囲】
【請求項１】
目の結像調整機能の訓練を行うための視力回復訓練装置であって、
訓練者の目が位置する接眼部と、
視力訓練用画像を表示する表示部と、
前記接眼部と前記表示部との間の光軸上に配置され、前記表示部から出た前記視力訓練用画像の画像光を反射する複数の反射部と、
前記複数の反射部のうち、少なくとも一つの反射部を前記光軸上で移動させる移動部と、を備え、
前記複数の反射部の各反射面のサイズは、各反射部の位置が前記接眼部から離れるに従って大きい視力回復訓練装置。
【請求項２】
請求項１記載の視力回復訓練装置であって、
前記複数の反射部のうち、前記接眼部に最も近い第一の反射部以外の反射部の反射面のサイズは、前記接眼部を始点として、当該始点から前記第一の反射部の外縁を結ぶ接線の延長線上で定義される前記第一の反射部の投影面の大きさ以上である視力回復訓練装置。
【請求項３】
請求項１記載の視力回復訓練装置であって、
前記訓練者が前記接眼部を通して、前記接眼部に最も近い第一の反射部を目視した時、前記複数の反射部のうち、前記第一の反射部以外の反射部の外縁の少なくとも一部は、前記訓練用画像と重ならない位置で、前記第一の反射部に写る視力回復訓練装置。
【請求項４】
請求項１記載の視力回復訓練装置であって、
前記複数の反射部のうち、前記接眼部に最も近い第一の反射部以外の反射部の一部の反射面のサイズは、前記接眼部から前記第一の反射部の外縁を結ぶ接線の延長線上での前記第一の反射部の投影面の大きさよりも小さい視力回復訓練装置。
【発明の詳細な説明】
【技術分野】
【０００１】
本発明は、目の結像調整機能の訓練を行うための視力回復訓練装置に関する。
【背景技術】
【０００２】
視力の低下は、目の調節筋（毛様体筋）の調節緊張や衰弱によって目の結像調節機能が低下することが一因と考えられる。しかし、目の結像調節機能を有する筋肉を訓練することによって、視力の回復を期待することができる。視力の回復を図る視力回復訓練方法のひとつとして、毛様体筋を訓練によって活性化し、目の結像調節機能のひとつである遠近調節機能を活発にする方法がある。
【０００３】
上記視力回復訓練方法を利用して、視力の改善、特に仮性近視及び老視の改善を行うための視力改善装置が提案されている。具体的には、接眼部から目視でき、適宜な図形を表示する訓練用画像表示部と、接眼部からそれぞれ所定の距離にある遠点と近点との間を、訓練用画像を適宜な速さで移動させる移動手段と、訓練用画像と接眼部との間の距離に比例して、表示される訓練用画像の大きさを変化させる表示手段とを備える視力改善装置が提案されている。
【０００４】
また、上記視力回復訓練装置の小型化のための構成が特許文献１に開示されている。図１０は、特許文献１に開示されている視力回復訓練装置５００の概略構成を示す図である。図１０に示すように、視力回復訓練装置５００は、筐体１と、接眼部２と、表示部３と、固定反射部５０と、移動反射部５０５と、搬送部６と、制御部８とを有する。
【０００５】
筐体１は、防塵や遮音性のために閉塞した空間を備える。筐体１の内部には、表示部３と、固定反射部５０と、移動反射部５０５と、搬送部６と、モータ７と、制御部８が設けられている。
【０００６】
接眼部２は、筐体１の側面に形成され、透明板１４を有する。訓練者は、透明板１４を介して視力回復訓練装置５００の内部を覗き込むようにして、接眼部２に自分の目を位置付ける。表示部３は、筐体１内に設けられた壁２２に固定され、視力訓練用画像４０を表示する。表示部３は、例えば液晶ディスプレイ、ＣＲＴディスプレイ、有機ＥＬディスプレイ等の電気的表示デバイスにより構成される。表示部３に表示された図形や文字の種類、大きさ、色、及び背景色などは、後述する制御部８の表示制御部によって所望の状態に容易に変更できる。また、表示部３には動画も表示できる。
【０００７】
移動反射部５０５は、表示部３からの画像光を反射する第一の平面鏡５６１及び第二の平面鏡５７１から構成される。移動反射部５０５は、搬送部６に搭載された台座１０に固定され、搬送部６によって図１０の上下方向に移動する。移動反射部５０５が移動することで、図１０の点線で示された接眼部２と表示部３とを結ぶ光軸９Ａ、９Ｂ、９Ｃ、９Ｄのうち、固定反射部５０と表示部３との光学距離（光路長、光軸９Ａ、９Ｂ、９Ｄの距離の和）が変化する。
【０００８】
搬送部６は、プーリー１１とベルト等で構成され、移動反射部５０５を固定した台座１０を搭載する。プーリー１１はモータ７で駆動され、台座１０に固定された移動反射部５０５を移動させる。この構成により、搬送部６は、モータ７等で駆動制御され、訓練者の目２４の位置する接眼部２に近接した固定反射部５０と表示部３との間の光学距離を変化させる。
【０００９】
制御部８は、搬送部６によって変化する光学距離に応じ、表示部３に表示された視力訓練用画像４０の表示サイズを変化させる表示制御部を構成する。具体的には、移動反射部５０５が接眼部２へ近づくにつれ、表示部３に表示された視力訓練用画像４０が徐々に小さくなるように、モータ７と表示部３とを制御する。一方、移動反射部５０５が接眼部から遠ざかるにつれ、表示部３に表示された視力訓練用画像４０が徐々に大きくなるように、モータ７と表示部３とを制御する。このような制御により、訓練者にとって見かけ上の画像の大きさを一定とすることができる。
【００１０】
また、光学距離にかかわらず、移動反射部５０５の移動方向（図１０の上下方向）に対して、光軸９Ｂ及び光軸９Ａが互いに平行になるように、第一の平面鏡５６１及び第二の平面鏡５７１は、所定の角度で傾いて移動反射部５０５に設けられている。
【００１１】
ここで、視力回復訓練装置５００の視力訓練用画像４０の画像光が、装置内をどのように進行し、訓練者の目に入るかを説明する。
まず、表示部３に表示された視力訓練用画像４０の画像光は、光軸９Ａを通って第二の平面鏡５７１の反射面に入射し、第一の平面鏡５６１に向けて反射される。第二の平面鏡５７１で反射された画像光は、光軸９Ｄに沿って第一の平面鏡５６１の反射面に入射し、固定反射部５０に向けて反射する。第一の平面鏡５６１で反射した画像光は、光軸９Ｂに沿って、固定反射部５０の反射面へ入射し、接眼部２へ向けて反射する。固定反射部５０で反射した画像光は、光軸９Ｃに沿って進行し、接眼部２で訓練者の目に入ることになる。
【００１２】
ここで、固定反射部５０と、第一の平面鏡５６１及び第二の平面鏡５７１との大きさの関係を、図１１を用いて説明する。図１１は、視力回復訓練装置５００における、固定反射部５０の投影面のサイズと、第一の平面鏡５６１の反射面のサイズ及び第二の平面鏡５７１の反射面のサイズの関係を示す図である。
【００１３】
図11に示すように、光路長の最も長くなる遠点で、目２４を始点として、目２４から光軸９Ｃの長さ分離れた位置にある固定反射部５０の外縁の頂点までを結ぶ各接線８１、８２、８３、８４を設定する。そして、各接線８１、８２、８３、８４の延長線上で形成される固定反射部５０の投影面を利用し、固定反射部５０で第一の平面鏡５６１及び第二の平面鏡５７１がどのように写るかを説明する。
【００１４】
まず、固定反射部５０から光軸９Ｂの長さ分離れた位置では、固定反射部５０の大きさは、図１１の２点鎖線で囲まれた固定反射部５０の投影面５１の大きさとなる。さらに、光軸９Ｂの長さに加え軸９Ｄの長さ分だけ固定反射部５０から離れた位置では、固定反射部５０の大きさは、図１１の２点鎖線で囲まれた固定反射部５０の投影面５２の大きさとなる。
【００１５】
ここで、視力回復訓練装置５００では、図１１に示されるように、第一の平面鏡５６１と第二の平面鏡５７１の各反射面のサイズは、それぞれ固定反射部５０の投影面５１のサイズ及び投影面５２のサイズより小さい。
【００１６】
図１２は、図１０に示す視力回復訓練装置の固定反射部５０に写る、第一の平面鏡５６１及び第二の平面鏡５７１、並びに表示部３に表示された訓練用画像４０の見え方を示す図である。
図１１に示すように、第一の平面鏡５６１と第二の平面鏡５７１の各反射面のサイズは、それぞれ固定反射部５０の投影面５１のサイズ及び投影面５２のサイズより小さい。したがって、図１２に示すように固定反射部５０では、固定反射部５０の中に第一の平面鏡５６１が写る。そして、第一の平面鏡５６１の内側に第二の平面鏡５７１が写る。さらに、第二の平面鏡５７１の内側に、表示部３の訓練用画像４０が写る。
【００１７】
訓練者が、接眼部２を介して、固定反射部５０を見た場合、固定反射部５０の中には、第一の平面鏡５６１及び第二の平面鏡５７１、並びに表示部３に表示された訓練用画像４０の３つが見える。
ここで、第一の平面鏡５６１及び第二の平面鏡５７１が設けられた移動反射部５０５がある距離を移動すると、移動反射部５０５の移動量に対して、上述した光路長（光軸９Ａ、９Ｂ、９Ｄの距離の和）の変化量は２倍となる。したがって、固定反射部５０５に写る第一の平面鏡５６１及び第二の平面鏡５７１の移動速度と、固定反射部５０５に写る訓練用画像４０の移動速度とは、互いに異なったものとして、訓練者の目に写る。
【００１８】
上述のように、図１０に示す視力回復訓練装置５００では、固定反射部５０で所定の速度で移動するように写る訓練用画像４０だけでなく、固定反射部５０で訓練用画像４０の移動速度とは異なる移動速度で動くように写る第一の平面鏡５６１及び第二の平面鏡５７１が訓練者の視野に入る。したがって、訓練者は、固定反射部５０に写る訓練用画像４０の移動速度にのみ集中することが困難となる。つまり、訓練者の集中力が維持しにくく、訓練者に対する視力回復訓練の効果が減少することになる。
【００１９】
【特許文献１】特開２００７−０１４３９４号公報
【発明の開示】
【発明が解決しようとする課題】
【００２０】
上記のような複数枚の平面鏡を使って光路を屈折させた視力回復訓練装置５００で、訓練者が訓練用画像４０を見た場合、図１２に示すように、固定反射部５０には第一の平面鏡６０及び第二の平面鏡７０、並びに訓練用画像４０の３つが写る。また、移動反射部５０５の移動量に対して、光路長の変化量は２倍となる。したがって、固定反射部５０に写る訓練用画像４０の移動速度に対して、固定反射部５０に写る第一の平面鏡５６１及び第二の平面鏡５７１の移動速度は異なったものとして、訓練者には見える。
【００２１】
一般に、視力回復訓練においては、訓練用画像が遠点と近点を移動する際の速度が訓練効果を出すひとつの因子である。このため、訓練者の視野に移動速度が異なる２種類の被写体が見えると、訓練者は、表示部の訓練用画像の速度にのみ集中することが困難となる。結果、視力回復の訓練の効果が低下する可能性がある。
【００２２】
本発明は、上記従来の事情に鑑みてなされたものであって、訓練者が訓練用画像のみに集中できる視力回復訓練装置を提供することを目的とする。
【課題を解決するための手段】
【００２３】
本発明における、目の結像調整機能の訓練を行うための視力回復訓練装置は、訓練者の目が位置する接眼部と、視力訓練用画像を表示する表示部と、前記接眼部と前記表示部との間の光軸上に配置され、前記表示部から出た前記視力訓練用画像の画像光を反射する複数の反射部と、前記複数の反射部のうち、少なくとも一つの反射部を前記光軸上で移動させる移動部と、を備え、前記複数の反射部の各反射面のサイズは、各反射部の位置が前記接眼部から離れるに従って大きい。
【００２４】
上記視力回復訓練装置であって、前記複数の反射部のうち、前記接眼部に最も近い第一の反射部以外の反射部の反射面のサイズは、前記接眼部を始点として、当該始点から前記第一の反射部の外縁を結ぶ接線の延長線上で定義される前記第一の反射部の投影面の大きさ以上である。
【００２５】
上記視力回復訓練装置であって、前記訓練者が前記接眼部を通して、前記接眼部に最も近い第一の反射部を目視した時、前記複数の反射部のうち、前記第一の反射部以外の反射部の外縁の少なくとも一部は、前記訓練用画像と重ならない位置で、前記第一の反射部に写る。
【００２６】
上記視力回復訓練装置であって、前記複数の反射部のうち、前記接眼部に最も近い第一の反射部以外の反射部の一部の反射面のサイズは、前記接眼部から前記第一の反射部の外縁を結ぶ接線の延長線上での前記第一の反射部の投影面の大きさよりも小さい。
【発明の効果】
【００２７】
本発明の視力回復訓練装置によれば、所定の速度で移動している表示部のみが見え、訓練用画像に集中できることから、訓練の効率を向上させることができる。
【発明を実施するための最良の形態】
【００２８】
以下、本発明の実施形態について、図面を参照して説明する。
【００２９】
（第１の実施の形態）
図１は、本発明の第１の実施の形態の視力回復訓練装置の概略構成図である。
視力回復訓練装置１００は、筐体１０１と、接眼部１０２と、表示部１０３と、固定反射部１５０と、移動反射部１０５と、搬送部１０６と、制御部１０８とを有する。
【００３０】
筐体１０１は、防塵や遮音性のために閉塞した空間を備える。筐体１０１の内部には、表示部１０３と、固定反射部１５０と、移動反射部１０５と、搬送部１０６と、モータ１０７と、制御部１０８とが設けられている。
【００３１】
接眼部１０２は、筐体１０１の側面に形成され、透明板１１４を有する。表示部１０３は、筐体１内に設けられた壁１２２に固定され、視力訓練用画像１４０を表示する。表示部１０３は、例えば液晶ディスプレイ、ＣＲＴディスプレイ、有機ＥＬディスプレイ等の電気的表示デバイスにより構成される。表示部１０３に表示された図形や文字の種類、大きさ、色、及び背景色などは、後述する制御部１０８の表示制御部によって所望の状態に容易に変更できる。また、表示部１０３には動画も表示できる。
【００３２】
移動反射部１０５は、表示部１０３からの画像光を反射する第一の平面鏡１６１及び第二の平面鏡１７１から構成される。移動反射部１０５は、搬送部１０６に搭載された台座１１０に固定され、搬送部１０６によって図１の上下方向に移動する。移動反射部１０５が移動することで、図１の点線で示された接眼部１０２と表示部１０３とを結ぶ光軸９Ａ、９Ｂ、９Ｃ、９Ｄのうち、固定反射部５０と表示部３との光学距離（光路長、光軸９Ａ、９Ｂ、９Ｄの距離の和）が変化する。
【００３３】
また、光学距離にかかわらず、移動反射部１０５の移動方向（図１の上下方向）に対して、光軸９Ｂ及び光軸９Ａが互いに平行になるように、第一の平面鏡１６１及び第二の平面鏡１７１は、所定の角度で傾いて、移動反射部１０５に設けられている。
【００３４】
搬送部１０６は、プーリー１１１とベルト等で構成され、移動反射部１０５を固定した台座１１０を搭載する。プーリー１１１はモータ１０７で駆動され、台座１１０に固定された移動反射部１０５を移動させる。この構成により、搬送部１０６は、モータ１０７等で駆動制御され、訓練者の目１２４の位置する接眼部１０２に近接した固定反射部１５０と表示部１０３との間の光学距離を変化させる。
【００３５】
制御部１０８は、搬送部１０６によって変化する光学距離に応じ、表示部１０３に表示された視力訓練用画像１４０の表示サイズを変化させる。具体的には、移動反射部１０５が接眼部１０２へ近づくにつれ、表示部１０３に表示された視力訓練用画像１４０が徐々に小さくなるように、モータ１０７と表示部１０３とを制御する。一方、移動反射部１０５が接眼部１０２から遠ざかるにつれ、表示部１０３に表示された視力訓練用画像１４０が徐々に大きくなるように、モータ１０７と表示部１０３とを制御する。このような制御により、訓練者にとって見かけ上の画像の大きさを一定とすることができる。
【００３６】
ここで、視力回復訓練装置１００の視力訓練用画像１４０の画像光が、装置内をどのように進行し、訓練者の目に入るかを説明する。
表示部１０３に表示された視力訓練用画像１４０の画像光は、光軸９Ａを通って第二の平面鏡１７１の反射面に入射し、第一の平面鏡１６１に向けて反射される。第二の平面鏡１７１の反射面で反射された画像光は、光軸９Ｄに沿って第一の平面鏡１６１に入射し、固定反射部１５０に向けて反射する。第一の平面鏡１６１の反射面で反射した画像光は、光軸９Ｂに沿って、固定反射部１５０へ入射し、接眼部１０２へ向けて反射する。固定反射部１５０の反射面で反射した画像光は、光軸９Ｃに沿って進行し、接眼部１０２で訓練者の目に入ることになる。
【００３７】
以下、本発明の第１の実施の形態で、第一の平面鏡１６１及び第二の平面鏡１７１の反射面のサイズがどのように決まるかを説明する。図２は、本発明の第１の実施の形態の固定反射部１５０の投影面のサイズと、第一の平面鏡１６１の反射面のサイズ及び第二の平面鏡１７１の反射面のサイズの関係を示す図である。
【００３８】
光路長の最も長くなる遠点において、目１２４を始点として、目１２４から光軸９Ｃの長さ分離れた位置にある固定反射部１５０の外縁の頂点までを結ぶ各接線８１、８２、８３、８４を設定する。各接線８１、８２、８３、８４の延長線上で形成される固定反射部５０の投影面を利用し、第一の平面鏡１６１及び第二の平面鏡１７１が、固定反射部１５０にどのように写るかを説明する。
【００３９】
まず、固定反射部５０から光軸９Ｂの長さ分離れた位置で、固定反射部１５０の大きさは、図２の実線で囲まれた投影面５１のサイズとなる。さらに、光軸９Ｂの長さに加えて、光軸９Ｄの長さ分だけ固定反射部１５０から離れた位置で、固定反射部１５０の大きさは、図２の実線で囲まれた投影面５２の大きさとなる。
【００４０】
ここで、本発明の第１の実施の形態では、第一の平面鏡１６１の反射面のサイズは、図２の実線で囲まれた投影面５１のサイズと同じである。また、第二の平面鏡１７１の反射面のサイズは、図２の実線で囲まれた投影面５２のサイズと同じである。
【００４１】
次に、図３を用いて、第１の実施の形態で、固定反射部１５０に写る視力訓練用画像１４０と、第一の平面鏡１６１及び第二の平面鏡１７１の見え方を説明する。
上述のように、表示部１０３に表示された視力訓練用画像１４０の画像光は、光軸上にある第二の平面鏡１７１及び第一の平面鏡１６１の各反射面で反射された後、固定反射部１５０に入射する。したがって、表示部１０３に表示された視力訓練用画像１４０に加え、第一の平面鏡１６１の像と第二の平面鏡１７１の像とが固定反射部１５０に写るはずである。しかし、第１の実施の形態では、第一の平面鏡１６１及び第二の平面鏡１７１の各々の反射面のサイズは、図２に示す固定反射部１５０の投影面５１及び投影面５２のサイズとそれぞれ同じであるため、固定反射部１５０には、図３に示すように、第一の平面鏡１６１の像と第二の平面鏡１７１の像は写らず、表示部１０３の訓練用画像１４０とが写ることになる。
【００４２】
上述のように、第１の実施の形態では、第一の平面鏡１６１及び第二の平面鏡１７１が訓練者の視野に入らない。訓練者の視野には、所定の速度で移動するように固定反射部１５０に写る表示部１０３の訓練用画像４０が入る。したがって、図１０に示す視力回復訓練装置とは異なり、第一の平面鏡１６１及び第二の平面鏡１７１は固定反射部１５０に写らず、表示部１０３の訓練用画像１４０が所定の速度で動いているように固定反射部１５０に写る。したがって、訓練者は、表示部１０３の訓練用画像１４０の速度にのみ集中することが容易となる。訓練者は、視力回復の訓練に対して集中力を維持しやすくなる。結果、第１の実施の形態の視力回復訓練装置を使用した視力回復訓練の効果が増すことになる。
（第２の実施の形態）
【００４３】
図４は、本発明の第２の実施の形態の視力回復訓練装置２００の概略構成図である。第２の実施の形態の視力回復訓練装置２００が、第１の実施の形態の視力回復訓練装置１００と異なる点は、移動反射部２０５の第一の平面鏡２６１及び第二の平面鏡２７１である。この点以外は第１の実施形態と同様であり、図４〜６において、図１と共通する構成要素には同じ参照符号が付されている。
【００４４】
視力回復訓練装置２００は、筐体１０１と、接眼部１０２と、表示部１０３と、固定反射部１５０と、移動反射部２０５と、搬送部１０６と、制御部１０８とを有する。
【００４５】
筐体１０１は、防塵や遮音性のために閉塞した空間を備える。筐体１０１の内部には、表示部１０３と、固定反射部１５０と、移動反射部２０５と、搬送部１０６と、モータ１０７と、制御部１０８とが設けられている。
【００４６】
接眼部１０２は、筐体１０１の側面に形成され、透明板１１４を有する。表示部１０３は、筐体１内に設けられた壁１２２に固定され、視力訓練用画像１４０を表示する。表示部１０３は、例えば液晶ディスプレイ、ＣＲＴディスプレイ、有機ＥＬディスプレイ等の電気的表示デバイスにより構成される。表示部１０３に表示された図形や文字の種類、大きさ、色、及び背景色などは、後述する制御部１０８の表示制御部によって所望の状態に容易に変更できる。また、表示部１０３には動画も表示できる。
【００４７】
移動反射部２０５は、表示部１０３からの画像光を反射する第一の平面鏡２６１及び第二の平面鏡２７１から構成される。移動反射部２０５は、搬送部１０６に搭載された台座１１０に固定され、搬送部１０６によって図４の上下方向に移動する。移動反射部２０５が移動することで、図４の点線で示された接眼部１０２と表示部１０３とを結ぶ光軸９Ａ、９Ｂ、９Ｃ、９Ｄのうち、固定反射部１５０と表示部１０３との光学距離（光路長、光軸９Ａ、９Ｂ、９Ｄの距離の和）が変化する。
【００４８】
また、光学距離にかかわらず、移動反射部２０５の移動方向（図４の上下方向）に対して、光軸９Ｂ及び光軸９Ａが互いに平行になるように、第一の平面鏡２６１及び第二の平面鏡２７１は、所定の角度で傾いて、移動反射部２０５に設けられている。
【００４９】
搬送部１０６は、プーリー１１１とベルト等で構成され、移動反射部２０５を固定した台座１１０を搭載する。プーリー１１１はモータ１０７で駆動され、台座１１０に固定された移動反射部２０５を移動させる。この構成により、搬送部１０６は、モータ１０７等で駆動制御され、訓練者の目１２４の位置する接眼部１０２に近接した固定反射部１５０と表示部１０３との間の光学距離を変化させる。
【００５０】
制御部１０８は、搬送部１０６によって変化する光学距離に応じ、表示部１０３に表示された視力訓練用画像１４０の表示サイズを変化させる。具体的には、移動反射部１０５が接眼部１０２へ近づくにつれ、表示部１０３に表示された視力訓練用画像１４０が徐々に小さくなるように、モータ１０７と表示部１０３とを制御する。一方、移動反射部２０５が接眼部１０２から遠ざかるにつれ、表示部１０３に表示された視力訓練用画像１４０が徐々に大きくなるように、モータ１０７と表示部１０３とを制御する。このような制御により、訓練者にとって見かけ上の画像の大きさを一定とすることができる。
【００５１】
視力回復訓練装置２００の視力訓練用画像１４０の画像光が、装置内をどのように進行し、訓練者の目に入るかを説明する。
表示部１０３に表示された視力訓練用画像１４０の画像光は、光軸９Ａを通って第二の平面鏡２７１の反射面に入射し、第一の平面鏡２６１に向けて反射される。第二の平面鏡２７１の反射面で反射された画像光は、光軸９Ｄに沿って第一の平面鏡２６１に入射し、固定反射部１５０に向けて反射する。第一の平面鏡２６１の反射面で反射した画像光は、光軸９Ｂに沿って、固定反射部１５０へ入射し、接眼部１０２へ向けて反射する。固定反射部１５０の反射面で反射した画像光は、光軸９Ｃに沿って進行し、接眼部１０２で訓練者の目に入ることになる。
【００５２】
以下、本発明の第２の実施の形態で、第一の平面鏡２６１及び第二の平面鏡２７１の大きさがどのように決まるかを説明する。図５は、本発明の第２の実施の形態における、固定反射部１５０の投影面のサイズと、第一の平面鏡２６１の反射面のサイズ及び第二の平面鏡２７１の反射面のサイズの関係を示す図である。
【００５３】
光路長の最も長くなる遠点において、目１２４を始点として、目１２４から光軸９Ｃの長さ分離れた位置にある固定反射部１５０の外縁の各頂点までを結ぶ各接線８１、８２、８３、８４を設定する。そして、各接線８１、８２、８３、８４の延長線上で形成される固定反射部１５０の投影面を利用し、第一の平面鏡２６１のサイズがどのように決まるかを説明する。
【００５４】
まず、固定反射部１５０から光軸９Ｂの長さ分離れた位置では、固定反射部１５０の大きさは、図５の２点鎖線で囲まれた固定反射部１５０の投影面５１の大きさとなる。ここで、図５に示すように、本発明の実施の形態２では、第一の平面鏡２６１の反射面の大きさ（サイズ）を、図５の２点鎖線で囲まれた固定反射部１５０の投影面５１のサイズよりも大きくする。
【００５５】
次に、光路長の最も長くなる遠点において、訓練者の目１２４を始点として、目１２４から光軸９Ｃ及び光軸９Ｂの長さ分離れた位置にある第一の平面鏡２６１の外縁の各頂点までを結ぶ各接線８５、８６、８７、８８を設定する。そして、各接線８５、８６、８７、８８の延長線上で形成される第一の平面鏡２６１の投影面を利用し、第二の平面鏡２７１のサイズがどのように決まるかを説明する。
光軸９Ｄの長さ分だけ第一の平面鏡２６１から離れた位置では、第一の平面鏡２６１の反射面のサイズは、図５の１点鎖線で囲まれた投影面５３の大きさとなる。ここで、図５に示すように、本発明の実施の形態２では、第二の平面鏡２７１の反射面のサイズを、図５の１点鎖線で囲まれた第一の平面鏡２６１の投影面５３のサイズよりも大きくする。
【００５６】
上述のように、第一の平面鏡２６１及び第二の平面鏡２７１の反射面のサイズを決めると、第１の実施の形態同様、図６に示すように、固定反射部１５０には、第一の平面鏡２６１の像と第二の平面鏡２７１の像は写らず、表示部１０３の訓練用画像１４０が写ることになる。
【００５７】
上述のように、第２の実施の形態では、訓練者の視野に、異なる２種類の移動速度を有する被写体が写らない。つまり、表示部１０３の訓練用画像１４０が所定の速度で動いているように固定反射部１５０に写っても、第一の平面鏡２６１及び第二の平面鏡２７１は固定反射部５０に写らない。したがって、訓練者は、固定反射部１５０に写る訓練用画像１４０の速度にのみ集中することが容易となる。訓練者は、視力回復の訓練に対して集中力を維持しやすくなる。結果、第２の実施の形態の視力回復訓練装置を使用した視力回復訓練の効果が増すことになる。
【００５８】
さらに、第２の実施の形態では、第一の平面鏡２６１及び第二の平面鏡２７１の各々の反射面のサイズを各投影面５１、５３のサイズよりも大きくすればよいだけなので、平面鏡の切り出しや光学的な位置決めの観点から生産が容易である。
【００５９】
（第３の実施の形態）
第１、２の実施の形態では、固定反射部1５０の中に各平面鏡が写らないようにした。しかし、第３の実施の形態では、移動反射部３０５の第一の平面鏡３６１及び第二の平面鏡３７１の外縁の一部が、固定反射部１５０の中で視力回復の訓練の妨げとならない位置に写る。この構成により、第１の実施の形態と同様の効果を得る。
【００６０】
図７に、第３の実施の形態の視力回復訓練装置３００の概略構成を示す。
第３の実施の形態の視力回復訓練装置３００が、第１の実施の形態の視力回復訓練装置１００と異なる点は、移動反射部３０５の第一の平面鏡３６１及び第二の平面鏡３７１である。この点以外は第１の実施形態と同様であり、図７〜９において、図１と共通する構成要素には同じ参照符号が付されている。
【００６１】
視力回復訓練装置３００は、筐体１０１と、接眼部１０２と、表示部１０３と、固定反射部１５０と、移動反射部３０５と、搬送部１０６と、制御部１０８とを有する。
【００６２】
筐体１０１は、防塵や遮音性のために閉塞した空間を備える。筐体１０１の内部には、表示部１０３と、固定反射部１５０と、移動反射部３０５と、搬送部１０６と、モータ１０７と、制御部１０８とが設けられている。
【００６３】
接眼部１０２は、筐体１０１の側面に形成され、透明板１１４を有する。表示部１０３は、筐体１０１内に設けられた壁１２２に固定され、視力訓練用画像１４０を表示する。表示部１０３は、例えば液晶ディスプレイ、ＣＲＴディスプレイ、有機ＥＬディスプレイ等の電気的表示デバイスにより構成される。表示部１０３に表示された図形や文字の種類、大きさ、色、及び背景色などは、後述する制御部１０８の表示制御部によって所望の状態に容易に変更できる。また、表示部１０３には動画も表示できる。
【００６４】
移動反射部３０５は、表示部１０３からの画像光を反射する第一の平面鏡３６１及び第二の平面鏡３７１から構成される。移動反射部３０５は、搬送部１０６に搭載された台座１１０に固定され、搬送部１０６によって図７の上下方向に移動する。移動反射部３０５が移動することで、図７の点線で示された接眼部１０２と表示部１０３とを結ぶ光軸９Ａ、９Ｂ、９Ｃ、９Ｄのうち、固定反射部１５０と表示部１０３との光学距離（光路長、光軸９Ａ、９Ｂ、９Ｄの距離の和）が変化する。
【００６５】
また、光学距離にかかわらず、移動反射部３０５の移動方向（図７の上下方向）に対して、光軸９Ｂ及び光軸９Ａが互いに平行になるように、第一の平面鏡３６１及び第二の平面鏡３７１は、所定の角度で傾いて、移動反射部３０５に設けられている。
【００６６】
搬送部１０６は、プーリー１１１とベルト等で構成され、移動反射部３０５を固定した台座１１０を搭載する。プーリー１１１はモータ１０７で駆動され、台座１１０に固定された移動反射部３０５を移動させる。この構成により、搬送部１０６は、モータ１０７等で駆動制御され、訓練者の目１２４の位置する接眼部１０２に近接した固定反射部１５０と表示部１０３との間の光学距離を変化させる。
【００６７】
制御部１０８は、搬送部１０６によって変化する光学距離に応じ、表示部１０３に表示された視力訓練用画像１４０の表示サイズを変化させる。具体的には、移動反射部３０５が接眼部１０２へ近づくにつれ、表示部１０３に表示された視力訓練用画像１４０が徐々に小さくなるように、モータ１０７と表示部１０３とを制御する。一方、移動反射部３０５が接眼部１０２から遠ざかるにつれ、表示部１０３に表示された視力訓練用画像１４０が徐々に大きくなるように、モータ１０７と表示部１０３とを制御する。このような制御により、訓練者にとって見かけ上の画像の大きさを一定とすることができる。
【００６８】
ここで、視力回復訓練装置３００の視力訓練用画像１４０の画像光が、装置内をどのように進行し、訓練者の目に入るかを説明する。
表示部１０３に表示された視力訓練用画像１４０の画像光は、光軸９Ａを通って第二の平面鏡３７１の反射面に入射し、第一の平面鏡３６１の反射面に向けて反射される。第二の平面鏡３７１の反射面で反射された画像光は、光軸９Ｄに沿って第一の平面鏡の反射面３６１に入射し、固定反射部１５０に向けて反射する。第一の平面鏡３６１の反射面で反射した画像光は、光軸９Ｂに沿って、固定反射部１５０へ入射し、接眼部１０２へ向けて反射する。固定反射部１５０の反射面で反射した画像光は、光軸９Ｃに沿って進行し、接眼部１０２で訓練者の目に入ることになる。
【００６９】
図８は、本発明の第３の実施の形態における、固定反射部１５０の投影面のサイズと第一の平面鏡３６１及び第二の平面鏡３７１のサイズの関係を示す図である。
【００７０】
図８に示すように、第３の実施の形態では、第１の実施の形態同様、光路長の最も長くなる遠点において、目１２４を始点として、目１２４から光軸９Ｃの長さ分離れた位置にある固定反射部１５０の外縁の各頂点までを結ぶ各接線８１、８２、８３、８４を設定する。
【００７１】
以下、各接線８１、８２、８３、８４の延長線上で形成される固定反射部１５０の投影面５１、５２を利用し、固定反射部１５０において、第一の平面鏡３６１及び第二の平面鏡３７１が、どのように写るかを説明する。
【００７２】
第３の実施の形態では、固定反射部１５０から光軸９Ｂの長さ分離れた位置で、第一の平面鏡３６１の外縁の一部を形成する一組の対向する辺（図８の左右方向）を、図８の２点鎖線で囲まれた固定反射部１５０の投影面５１の一組の対向する辺よりも短く形成する。同様に、固定反射部１５０から光軸９Ｂの長さ分離れた位置で、第一の平面鏡３６１の外縁の一部を形成する他の組の対向する辺（図８の上下方向）を、図８の２点鎖線で囲まれた固定反射部１５０の投影面５１の辺の長さと同じとなるように形成する。
【００７３】
また、光軸９Ｂの長さに加えて、光軸９Ｄの長さ分だけ固定反射部１５０から離れた位置で、第二の平面鏡３７１の外縁の一部を形成する一組の対向する辺（図８の左右方向）を、図８の２点鎖線で囲まれた固定反射部１５０の投影面５２の一組の対向する辺よりも短く形成する。同様に、光軸９Ｂの長さに加えて、光軸９Ｄの長さ分だけ固定反射部１５０から離れた位置で、第二の平面鏡３７１の外縁の一部を形成する他の組の対向する辺（図８の上下方向）を、図８の２点鎖線で囲まれた投影面５２の辺の長さと同じとなるように形成する。
【００７４】
次に、図９を用いて、第３の実施の形態で、固定反射部１５０に写る各平面鏡３６１、３７１および表示部１０３の見え方を説明する。図９は、固定反射部１５０に写る各平面鏡３６１、３７１及び表示部１０３の状態を示す図である。
【００７５】
表示部１０３に表示された視力訓練用画像１４０の画像光は、光軸上にある第二の平面鏡３７１及び第一の平面鏡３６１の各反射面で反射された後、固定反射部１５０に入射する。したがって、表示部１０３に表示された視力訓練用画像１４０に加え、第一の平面鏡３６１の像と第二の平面鏡３７１の像とが、固定反射部１５０に写るはずである。
しかし、図９に示すように、第一の平面鏡３６１と第二の平面鏡３７１とが固定反射部１５０に写る像よりも、固定反射部１５０が図８の左右方向に長い形状を有している。したがって、固定反射部１５０には、第一の平面鏡３６１と第二の平面鏡３７１の各々の鏡の外縁の一部を形成する一組の対向する辺（図９の上下方向）が写るが、第一の平面鏡３６１と第二の平面鏡３７１の各々の鏡の外縁の一部を形成する他の一組の対向する辺（図９の左右方向）は、固定反射部１５０の外縁と重なって写らない。また、訓練者が接眼部１０２を通して、固定反射部１５０を目視した時、第一の平面鏡３６１及び第二の平面鏡３７１の反射面の外縁の少なくとも一部は、訓練用画像１４０と重ならない位置で、固定反射部１５０に写る。
このとき、固定反射部１５０に写る第一の平面鏡３６１と第二の平面鏡３７１の各々の鏡の外縁の一部を形成する一組の対向する辺（図９の上下方向）は、訓練用画像１４０から離れているので、訓練者の視野に入らないか、あるいは訓練者が感知できないほど十分離れた視野の端部に写る。
【００７６】
したがって、第３の実施の形態において、訓練者は、表示部１０３の訓練用画像１４０を注視できるので、固定反射部１５０に写る表示部１０３の移動速度のみを感知することができる。したがって、訓練者は、視力回復の訓練に対しての集中力が維持しやすい。結果、視力回復の訓練の効果が増すことになる。
【産業上の利用可能性】
【００７７】
本発明は、反射板に写る訓練用画像を用いて、目の結像調節機能の訓練を行うための視力回復訓練装置などに有用である。
【図面の簡単な説明】
【００７８】
【図１】第１の実施の形態の視力回復訓練装置１００の概略構成図
【図２】第１の実施の形態における、固定反射部１５０の投影面のサイズと、第一の平面鏡１６１の反射面のサイズ及び第二の平面鏡１７１の反射面のサイズの関係を示す図
【図３】第１の実施例における、固定反射部１５０に写る第一の平面鏡１６１、第二の平面鏡１７１、及び表示部１０３の状態を示す図
【図４】第２の実施の形態の視力回復訓練装置２００の概略構成図
【図５】第２の実施の形態における、固定反射部１５０の投影面のサイズと、第一の平面鏡２６１の反射面のサイズ及び第二の平面鏡２７１の反射面のサイズの関係を示す図
【図６】第２の実施例における、固定反射部１５０に写る第一の平面鏡２６１、第二の平面鏡２７１、及び表示部１０３の状態を示す図
【図７】第３の実施の形態の視力回復訓練装置３００の概略構成図
【図８】第３の実施の形態における、固定反射部１５０の投影面のサイズと、第一の平面鏡３６１の反射面のサイズ及び第二の平面鏡３７１の反射面のサイズの関係を示す図
【図９】第３の実施例における。固定反射部１５０に写る第一の平面鏡３６１、第二の平面鏡３７１、及び表示部１０３の状態を示す図
【図１０】視力回復訓練装置５００の概略構成を示す図
【図１１】視力回復訓練装置５００における、固定反射部５０の投影面のサイズと、第一の平面鏡５６１の反射面のサイズ及び第二の平面鏡５７１の反射面のサイズの関係を示す図
【図１２】視力回復訓練装置５００における、固定反射部５０に写る第一の平面鏡５６１、第二の平面鏡５７１、及び表示部３の状態を示す図
【００７９】
１、１０１  筐体
２、１０２  接眼部
３、１０３  表示部
５、１０５  移動反射部
６、１０６  搬送部
７、１０７  モータ
８、１０８  制御部
９Ａ、９Ｂ、９Ｃ、９Ｄ  光軸
１０、１１０  台座
１１、１１１  プーリー
１４、１１４  透明板
２２、１２２  壁
２３、１２３  固定具
２４、１２４  訓練者の目
４０、１４０  訓練用画像
５０、１５０  固定反射部
５１、５２、５３  投影面
８１−８４  目を始点として固定反射部の外縁を結んだ接線
８５−８８  目を始点として第一の平面鏡の外縁を結んだ接線
１６１、２６１、３６１、５６１  第一の平面鏡
１７１、２７１、３７１、５７１  第二の平面鏡
【図１】
2010088773.tif 000003
【図２】
2010088773.tif 000004
【図３】
2010088773.tif 000005
【図４】
2010088773.tif 000006
【図５】
2010088773.tif 000007
【図６】
2010088773.tif 000008
【図７】
2010088773.tif 000009
【図８】
2010088773.tif 000010
【図９】
2010088773.tif 000011
【図１０】
2010088773.tif 000012
【図１１】
2010088773.tif 000013
【図１２】
2010088773.tif 000014